(57)【要約】      （修正有）【課題】少なくとも換気機能と扇風機機能のいずれかを有し、各種の用途に使用し得る照明器具を提供する。【解決手段】換気機能及び扇風機機能を有する照明器具は、ＬＥＤ発光素子及びＥＬ発光素子を光源とするランプ基板４５、これとタービン式送風機４４及びフープ式送風機の少なくとも１種の送風機、コントロールモジュール４３及びこれらを収納するケースを備え、ケースにはタービン式送風機やフープ式送風機の風吹出し口を有し、更に風吹出し口を通じて換気機能及び扇風機機能の少なくとも１種の機能を兼ね備えていると共に送風吹出し口の方向の変動や角度の調整をコントロールモジュールで行う。 【選択図】図２
0003194194.tif 000002
【実用新案登録請求の範囲】
【請求項１】
ＬＥＤ発光素子及びＥＬ発光素子の少なくとも１種の発光素子を光源とする照明器具、これとタービン式送風機及びフープ式送風機の少なくとも１種の送風機、電源コントロールモジュール及びこれらを収納するケースを備え、該ケースにはタービン式送風機やフープ式送風機の風吹出し口を有し、更に該風吹出し口を通じて換気機能及び扇風機機能の少なくとも１種の機能を兼ね備えていると共に前記送風吹出し口の方向の変動や角度の調整を前記コントロールモジュールで行うことを特徴とする換気機能及び扇風機機能を有する照明機器。
【請求項２】
換気機能及び扇風機機能を有する照明機器がランプ基板カバー、ランプ基板カバー取付金具、裏カバーと内側円形ケースとを基盤連結器具で組立て、前記内側円形ケースと複数の前記ランプ基板カバー取付金具で前記ランプ基板カバーとを結合してなり、更に該ランプ基板カバー内にＬＥＤ発光素子及びＥＬ発光素子の少なくとも１種の発光素子を光源としたランプを含む照明器具を設置、少なくとも１種の送風機を有し、前記裏カバーと前記内側円形ケースを設け、外側円形ケースには送風通路を有し、吹出し口の方向の変動や角度の調整が可能な送風噴出し口を有していることを特徴とする換気機能及び扇風機機能を有する照明機器。
【請求項３】
前記光源又はランプ基板カバーを中心とする照明機器の出入り風口は、外側円形ケースの外側或いは内側又は上方或いは下方又は裏側全体に有することを特徴とする請求項１又は請求項２に記載の換気機能及び扇風機機能を有する照明機器。
【請求項４】
前記照明機器の出入り風口の方向は、垂直、交叉、斜め、平行と交叉、出入り風口の角度は垂直方向プラスマイナス１８０度の範囲、斜め風出口は水平方向プラスマイナス９０度の範囲であることを特徴とする請求項１乃至請求項３のいずれかに記載の換気機能及び扇風機機能を有する照明機器。
【請求項５】
前記ＬＥＤ発光素子及びＥＬ発光素子の少なくとも１種の発光素子を光源としたランプの間或いはランプの周囲に複数個の出入り風口を設け、これらの出入り風口を経由及び／又はフープ式風出し作用と共に気流を発生させることを特徴とする請求項１乃至請求項４のいずれかに記載の換気機能及び扇風機機能を有する照明機器。
【請求項６】
前記出入り風口及び／又はフープ式風出し口部分の一部又は全部の空間に風方向調整機能を設け、風出し角度と貸し出し強度を調整することを特徴とする請求項１乃至請求項５のいずれかに記載の換気機能及び扇風機機能を有する照明機器。
【請求項７】
前記空間の一側或いは両側を線形或いはストリームライン形状（ただし、側面の幅は均一又は不均一である。）、０〜５０ｃｍの幅を有することを特徴とする請求項１乃至請求項６のいずれかに記載の換気機能及び扇風機機能を有する照明機器。
【請求項８】
前記出入り風口及び／又はフープ式風出し口部分の全体は、線形或いは線形でない形状として、直線形状、多辺形形状、カーブ形状又はリング形状であり、前記出入り風口及び／又はフープ式風出し口部分の間隔は、連続又は間断的であり、前記出入り風口及び／又はフープ式風出し口部分の角度は、一致又は不一致であり、前記出入り風口及び／又はフープ式風出し口部分は、単線又は多線でありかつ角度は単一角度又は多角度であり、前記出入り風口及び／又はフープ式風出し口部分は、移動、揺動、回転、反転の形式が可能、前記出入り風口及び／又はフープ式風出し口部分の一部、全面又は側面は、発光体を設けてもよいことを特徴とする請求項１乃至請求項７のいずれかに記載の換気機能及び扇風機機能を有する照明機器。
【請求項９】
前記照明機器は、シーリングライト、ブラケットライト、ペンダント及びスタンドライトとして使用されると共に、前記ライトの発光体の明るさ及び色を調整することができることを特徴とする請求項１乃至請求項８のいずれかに記載の換気機能及び扇風機機能を有する照明機器。
【請求項１０】
前記照明機器は、厨房用レンジフードとして使用することを特徴とする請求項１乃至請求項８のいずれかに記載の換気機能及び扇風機機能を有する照明機器。
【考案の詳細な説明】
【技術分野】
【０００１】
本考案は、照明器具の技術領域に関するもので、更に詳しくは、少なくとも換気機能と扇風機機能のいずれかを有し、各種の用途に使用し得る照明器具に関する。
【背景技術】
【０００２】
近年、発光ダイオード（以下、ＬＥＤという。）や有機発光ダイオード（ＥＬ）等の発光素子を光源とした照明は、低炭素生活の一部となり、消費電力の高い効率や低発熱性能からみて次第に他のタイプの照明器具に取って変わりつつある。現在市販されているＬＥＤやＥＬ照明は、それらの材質として、金属、セラミック、又は放熱プラスチック等を使用しているが、熱放射における放熱性が不十分であるため、十分な放熱性を得るためにファン付きのＬＥＤ照明が知られている（例えば、特許文献１参照）。
【先行技術文献】
【特許文献】
【０００３】
【特許文献１】中国国家知識権利局が２０１０年２月１０日に公開した公開番号ＣＮ２０１４０１７６４  ファン付きハイパワーＬＥＤランプ
【考案の概要】
【考案が解決しようとする課題】
【０００４】
しかしながら、前述の如き特許文献１に記載されている如きファン付きＬＥＤ照明器具は、主にその側面に風の噴出口を設けて照明本体からの放熱を冷却することを目的とするものであり、周辺環境の風通し、換気機能や扇風機機能を目的としたものではない。本考案が解決しようとする課題は、ＬＥＤ発光素子あるいはＥＬ発光素子等又はこれらの発光素子の組み合わせを光源とし、かつタービン式送風機あるいはフープ式送風機の少なくとも１種の新型送風機と、換気機能又は扇風機機能の少なくとも１種の機能を兼ね備え、空間の利用率と使用範囲を高め、更に安全性に優れた照明器具を提供することにある。
【課題を解決するための手段】
【０００５】
本考案の上記各課題は、以下の各考案によってそれぞれ達成される。
【０００６】
（１）本考案は、換気機能及び扇風機機能を有する照明機器からなり、該照明機器のケースには、ＬＥＤ発光素子及びＥＬ発光素子の少なくとも１種の発光素子を光源とする照明器具、これとタービン式送風機及びフープ式送風機の少なくとも１種の送風機、電源コントロールモジュール及びこれらを収納するケースを備え、該ケースにはタービン式送風機やフープ式送風機の風吹出し口を有し、更に該風吹出し口を通じて換気機能及び扇風機機能の少なくとも１種の機能を兼ね備えていると共に前記送風吹出し口の方向の変動や角度の調整を前記コントロールモジュールで行うことを特徴とするものである。
【０００７】
（２）本考案の換気機能及び扇風機機能を有する照明機器がランプ基板カバー、ランプ基板カバー取付金具、裏カバーと内側円形ケースとを基盤連結器具で組立て、前記内側円形ケースと複数の前記ランプ基板カバー取付金具で前記ランプ基板カバーとを結合してなり、更に該ランプ基板カバー内にＬＥＤ発光素子及びＥＬ発光素子の少なくとも１種の発光素子を光源としたランプを含む照明器具を設置、少なくとも１種の送風機を有し、前記裏カバーと前記内側円形ケースを設け、外側円形ケースには送風通路を有し、吹出し口の方向の変動や角度の調整が可能な送風噴出し口を有していることを特徴とするものである。
【０００８】
（３）本考案の換気機能及び扇風機機能を有する照明機器の前記（１）又は（２）において、前記光源又はランプ基板カバーを中心とする照明機器の出入り風口は、外側円形ケースの外側或いは内側又は上方或いは下方又は裏側全体に有することを特徴とするものである。
【０００９】
（４）本考案の換気機能及び扇風機機能を有する照明機器の前記（１）乃至（３）のいずれかにおいて、前記照明機器の出入り風口の方向は、垂直、交叉、斜め、平行と交叉、出入り風口の角度は垂直方向プラスマイナス１８０度の範囲、斜め風出口は水平方向プラスマイナス９０度の範囲であることを特徴とするものである。
【００１０】
（５）本考案の換気機能及び扇風機機能を有する照明機器の前記（１）乃至（４）のいずれかにおいて、前記ＬＥＤ発光素子及びＥＬ発光素子の少なくとも１種の発光素子を光源としたランプの間或いはランプの周囲に複数個の出入り風口を設け、これらの出入り風口を経由及び／又はフープ式風出し作用と共に気流を発生させることを特徴とするものである。
【００１１】
（６）本考案の換気機能及び扇風機機能を有する照明機器の前記（１）乃至（５）のいずれかにおいて、前記出入り風口及び／又はフープ式風出し口部分の一部又は全部の空間に風方向調整機能を設け、風出し角度と貸し出し強度を調整することを特徴とするものである。
【００１２】
（７）本考案の換気機能及び扇風機機能を有する照明機器の前記（１）乃至（６）のいずれかにおいて、前記空間の一側或いは両側を線形或いはストリームライン形状（ただし、側面の幅は均一又は不均一である。）、０〜５０ｃｍの幅を有することを特徴とするもので、前記空間の正面は多種形状でもよく、また開閉機能を有すると共にこれらの変形も可能である。また空間全体或いはその部分の風出口は回転、移動、スイング或いは反転が可能である。これらの動作により風向きと風の動きを変えることができる。更に空間全体或いはその部分の風出口は、風向き調整機構を取り付けることができる。更にまた空間全体或いはその部分の風出口は、角度や送風強度の調整機能を有し、更にまた空間全体或いはその部分の側面は、同時に発光体を設けることもできる。
【００１３】
（８）本考案の換気機能及び扇風機機能を有する照明機器の前記（１）乃至（７）のいずれかにおいて、前記出入り風口及び／又はフープ式風出し口部分の全体は、線形或いは線形でない形状として、直線形状、多辺形形状、カーブ形状又はリング形状であり、前記出入り風口及び／又はフープ式風出し口部分の間隔は、連続又は間断的であり、前記出入り風口及び／又はフープ式風出し口部分の角度は、一致又は不一致であり、前記出入り風口及び／又はフープ式風出し口部分は、単線又は多線でありかつ角度は単一角度又は多角度であり、前記出入り風口及び／又はフープ式風出し口部分は、移動、揺動、回転、反転の形式が可能、前記出入り風口及び／又はフープ式風出し口部分の一部、全面又は側面は、発光体を設けてもよいことを特徴とするものである。前記出入り風口即ち風吹き出し口及び／又はフープ式風出し口部分又は全体は、線形（例えば、直線形、多辺形等）、非線形（例えば、カーブ形状、リング状等）であり、また風吹き出し口及び／又はフープ式風出し口部分又は全体は、連続的又は断続的に設けられる。風吹き出し口及び／又はフープ式風出し口部分又は全体の噴出し角度は、一致又は不一致のいずれかであり、風吹き出し口は、一つの面上で単線或いは多線構造、又は単辺単線或いは単辺多線であり、風吹き出し口の単辺単線或いは単辺多線の風吹き出し角度は、単一角度或いは多角度とすることができ、また風吹き出し口の長さは、単一の長さ或いは異なる長さでもよく、単線或いは多線の間隔は、均一幅或いは不均一幅でもよく、また風吹き出し口及び／又はフープ式風出し口は、風原動力装置の調整によって各方角への切り替えの選択が可能であり、これによって異なる強度と異なる角度或いは強弱静動効果を得ることができる。
【００１４】
（９）本考案の換気機能及び扇風機機能を有する照明機器の前記（１）乃至（８）のいずれかにおいて、前記照明機器は、シーリングライト、ブラケットライト、ペンダント及びスタンドライトとして使用されると共に、前記ライトの発光体の明るさ及び色を調整することができることを特徴とするものである。
【００１５】
（１０）本考案の換気機能及び扇風機機能を有する照明機器の前記（１）乃至（９）のいずれかにおいて、前記照明機器は、厨房用レンジフードとして使用することを特徴とするものである。
【考案の効果】
【００１６】
本考案の換気機能及び扇風機機能を有する照明機器によれば、従来の照明器具に比べて、新規であり、縦方向に重ねたもので、不要な空間がなく、即ち空間の利用率が向上し、かつ軽量化することができたものである。本考案の照明器具は、風の出入口の所にタービン式又はフープ式のファン（扇風機）、フロントパネル等を置き、風の出入口に対して風方向角度及び隙間の良好なコントロールを行うことができる。これにより室内の空気を循環させ、室温の温度を均一化するばかりでなく照明として使用できると共に扇風機機能も十分期待することができるという優れた効果をそうするものである。
【図面の簡単な説明】
【００１７】
【図１ａ】本考案の換気機能及び扇風機機能を兼ねた照明機器を示す平面図である。
【図１ｂ】本考案の換気機能及び扇風機機能を兼ねた照明機器を示す正面図である。
【図１ｃ】本考案の換気機能及び扇風機機能を兼ねた照明機器を裏面から見た平面図である。
【図１ｄ】本考案の換気機能及び扇風機機能を兼ねた照明機器の上面図である。
【図１ｅ】本考案の換気機能及び扇風機機能を兼ねた照明機器を示す左側面図である。
【図１ｆ】本考案の換気機能及び扇風機機能を兼ねた照明機器を示す右側面図である。
【図２】本考案の円形の照明機器を展開して示した斜視図である。
【図３】本考案の四角形の照明機器を示す斜視図である。
【図４】図３の照明機器を展開して示した斜視図である。
【考案を実施するための形態】
【００１８】
以下に、本考案の実施の形態を図面で説明するが、本考案は、これに限定されるものではない。本考案は、タービン式或いはフープ式を原動力とした換気機能及び扇風機機能を有する照明機器からなる。該照明機器のケース（外側円形ケース）内にＬＥＤ発光素子及びＥＬ発光素子の少なくとも１種の発光素子を光源としたランプ基板、タービン式送風機及びフープ式送風機の少なくとも１種の送風機、電源コントロールモジュールを有する。該ケースにはタービン式送風機やフープ式送風機の風吹出し口を有し、更に該風吹出し口を通じて換気機能及び扇風機機能の少なくとも１種の機能を兼ね備えていると共に前記送風吹出し口の方向の変動や角度の調整を前記コントロールモジュールで行うことを特徴とするものである。
【００１９】
図１ａから図１ｆは、本考案の換気機能及び扇風機機能を有する照明機器を示し、図１ａ、図１ｂは、正面図であり、図１ｃは、裏面から見た図であり、図１ｄは、図１ａの上から見た図であり、更に図１ｅは、図１ａの左側から見た図であり、図１ｆは、図１ａの右側から見た図である。また図２は、本考案の円形の照明機器を展開して示した斜視図である。図１及び図２において、本考案の換気機能及び扇風機機能を有する照明機器は、外側円形ケース４９、ＬＥＤ又はＥＬ発光素子を光源としたランプ基板４５、送風動力装置（タービン式送風機）４４及びコントロールモジュール４３を含んでいる。外側円形ケースの内部には、ＬＥＤ又はＥＬ発光素子を光源としたランプが設けられる。更にこの外側円形ケースの内部には少なくとも一種の扇風機機能を有する送風動力装置４４が内蔵される。この送風動力装置４４は、少なくとも一種のタービン式又はフープ式装置が用いられ、また外側円形ケース上には、それぞれ１個の又は２個以上の噴気或いは送風口、又はフープ式送風機能又は風出し入り口或いは二者を組み合わせた構造の入り口が設けられる。これによって風出入り口を通して外部の空気の交換や直接送風を実現することができるばかりでなく、換気機能と扇風機機能を兼ね備えると共に、外部にプロペラを有しないので、安全送風かつ換気機能が得られる照明器具が提供される。またコントロールモジュール４３は、ＬＥＤ又はＥＬ発光素子からなる光源４５、送風動力装置、風出し入り口の変動、噴気角度、その方向、更にフロントパネルの角度、その位置等を適宜調整する。
【００２０】
本考案において、発光光源（ＬＥＤ又はＥＬ発光素子を光源としたランプ基板）４５を中心部に置き、これを光放射カバー又はランプ基板カバー４７で覆い、得られた照明器具の外側或いは内側或いは上部或いは下部或いは該器具の裏側に少なくとも１個の風出入り口４６を設けることができる。更に前述の風出入り口の角度は、垂直方向からプラスマイナス１８０度の範囲、斜めの風出入り口の角度は、水平方向プラスマイナス９０度の範囲がもっともよい。
【００２１】
また換気機能及び扇風機機能を有する照明機器は、ＬＥＤ又はＥＬ発光素子からなる光源４５と照明器具の間に一個或いは数個の空間を構成し、この照明器具の間又は周辺に風出入り口、いわゆる通風孔を複数増設し、これによりタービン式又はフープ式の風噴出機能で周辺の空気の気流を作る。更に前述の空間の片側或いは両側は、線形状或いはストリームライン形状によって形成され、その幅は、好ましくは０〜５０ｃｍがよいが、幅の形状と厚さによって更に周辺の気流を良好にするように風量と風向きの調整をすることができる。前述の線形状或いはストリームライン形状の側面の幅は、均一でも不均一でもよい。
【００２２】
前述の空間の正面は、各種の形状に形成することができ、かつ同時にその空間を固定又は開閉することができると共にその形状を変えることもできる。また前述の空間の全体又はその部分を回転させたり、移動、揺動又は反転させることによって、風向きや風の動き（強弱）を変えることができる。
【００２３】
前述の空間の全体又はその部分の風口に風向き調節構造を増設したり、部分又は全体の風向き角度と風強度を調節することができる。更に空間の全体又は部分の側面に発光体を設けることもできる。前述のＬＥＤ又はＥＬ発光素子からなる光源４５とした照明器具の間又はその周辺に一個又は数個の風出入り空間を増設し、これらの空間に風噴出口或いはフープ式風出口の部分又は全体に風方向調整構造を増設してこれらの風に対して角度及び風強度を調整する。この風噴出口或いはフープ式風出口の角度は、垂直方向に対してプラスマイナス９０度の範囲がよく、更に斜め風噴出口の角度は、水平方向に対してプラスマイナス９０度の範囲が最も良い。
【００２４】
前述の風噴出口或いはフープ式風出口の全体は、線形又は非線形でもよく、例えば、直線形、多辺形、弧線形又はリング形等でよく、また風噴出口或いはフープ式風出口の隙間は、連続又は非連続でもよく、更に同一風噴出口或いはフープ式風出口の隙間及び風出し角度は、一致していてもよく、また一致していなくてもよい。前述の風噴出口は、同一面上で単線或いは多線構造又は単辺単線或いは多辺多線構造でもよい。更にまた前述の風噴出口の各単線又は多線の風噴出し角度は単一角度又は多角度構造であってもよい。前述の風噴出口は、各面上で単線又は多線でもよく、連続でも非連続でもよく、各単線又は多線は、単一の長さ又は不規則な長さでもよく、各単線又は多線の隙間は、均一又は不均一の幅でもよい。
【００２５】
本考案に用いられる風噴出口或いはフープ式風出口４６は、送風動力を通して風出口間の調節又は切替で風方向の角度を自由に選択することができ、また異なる強度或いは異なる距離により風の清音効果を得ることができる。前述の風噴出口或いはフープ式風出口の全体又は部分は、移動、揺動、回転、反転、伸縮自在又は開閉させることができる。前述の風噴出口或いはフープ式風出口に風向き調整構造を増設し、部分或いは全体の風向き角度及び風強度を調整することができる。更に前述の風噴出口或いはフープ式風出口の一部又は全体に発光体を設けることもできる。本考案の照明器具は、シーリングライト、ブラケットライト、ペンダント又はスタンドライトとしても使用することができる。また前述の照明器具は、風吸い込み、即ち換気扇と組み合わせる、例えば、厨房のレンジフード等にも使用することができる。
【００２６】
ここで、本考案の実施例を挙げて説明するが、本考案はこれらの例により限定されるものではない。
【００２７】
実施例１
本考案の換気機能及び扇風機機能を有する照明機器として、羽根なしファンの円形状の外側円形ケース（照明ケース）を用いた例を示す。図２において、本考案の換気機能及び扇風機機能を有する照明機器は、下から順に、ランプ基板カバー４７、外側円形ケース４９、ランプ基板カバー取付金具４８、ＬＥＤ又はＥＬ等の発光素子とした光源照明４５、内側円形ケース５０、タービン式送風機４４及び裏カバー４２を組み立て、連結具で裏カバー４２を連結している。ランプ基板カバー４７から裏カバー４２までの構成部品は、適宜固定部材、例えば、ネジ等で固定する。この際、外側円形ケース４９内に、前記光源照明４５、内側円形ケース５０及びタービン式送風機４４や電源コントロールモジュール４３を設置した後、連結具４１で取付け、ランプ基板カバー４７及び裏カバー４２を取り付ける。ランプ基板カバー４７は、ランプ基板カバー取付金具４８に係合して取り付ける。ランプ基板カバー４７は、光拡散のため設けられるが、特に設けても設けなくてもよい。このように組み立てられた本考案の換気機能及び扇風機機能を有する照明機器は、図１のａ〜ｆに示される。
【００２８】
外側円形ケース４９は空洞５７となっており、該ケース４９は、空洞の風方向導く層（同風方向層）を有し、この層上に  少なくとも１個の噴気機能を有する風出入り口４６が設けられている。該風出入り口４６は、垂直に、二つ以上を平行に設けてもよく、また斜めに傾斜して設けても、更には交叉して設けてもよい。風出入り口４６の風方向の角度は垂直、プラスマイナス１８０度の範囲がよく、更に好ましくは水平方向に対してプラスマイナス９０度の範囲がよい。上記のＬＥＤ又はＥＬ等の発光素子を光源とした照明の間又は周囲に適宜の風出入り口４６を増設することができる。更にこれらＬＥＤ又はＥＬ等の発光素子を光源とした照明部分の間を一個又は２個以上の空間を作り、風噴き出し口又はフープ式風噴き出し作用により周辺の空気を巻き込んで気流を作り、又はＬＥＤ又はＥＬ等の発光素子を光源とした照明部分の間又は周辺に一個又は２個以上の風出し入り空間を増設し、これら空間の風噴出し口或いはフープ式風出し口の部分或いは全部に風向き調整構造を増設し、風出し角度と風強度を調整することができる構造を有している。このような風出し角度は、内側円形ケース５０を両側に設けられた歯車５４、５５によって調整することができる。
【００２９】
前記空間の一側或いは両側を線形又はストリームライン形状としてもよく、その幅は０〜５０ｃｍの間がよく、これにより周辺の気流をよりよく回転させることができる。また風量や風向きの調整も効率よく行うことができる。前記空間の一側或いは両側を線形或いはストリームライン形状にしてもよく、その側面の幅は均一或いは不均一のいずれでもよい。前記空間の正面は多種形状でよく、同時に開閉可能な形式又は変形可能な形式がよい。前記空間の全体或いは部分は回転、移動、揺動或いは反転が可能であり、また風向き或いは風の動きを変えることができる形式がよく、更には空間の全体或いは部分の風出し口に風向き調節構造を増設することができ、部分或いは全部の風向き角度と風強度を調節することができる機能を有していてもよい。前記空間の全体或いは部分の側面は発光体を設けることもできる。
【００３０】
風噴出し口或いはフープ式の風噴出し口の角度は垂直方向プラスマイナス９０度時、斜め噴出し口は水平方向プラスマイナス９０度の範囲が好ましい。前記風噴出し口或いはフープ式の風噴出し口全体は線形或いは非線形のいずれでもよく、例えば、直線形、多角形、弧線形或いはリング形でよく、風噴出し口或いはフープ式の風噴出し口の隙間又は間隔は、連続でも非連続でもよい。同一風噴出し口或いはフープ式の風噴出し口の隙間の風噴出し角度は、一致していても不一致でもよく、また前記風噴出し口或いはフープ式の風噴出し口は一つの面の上で単線或いは多線構造、単辺単線或いは多辺多線構造のいずれでもよく、更に前記風噴出し口或いはフープ式の風噴出し口の各単線或いは多線の風噴出し角度は単一角度或いは多角度構造でもよく、前記風噴出し口或いはフープ式の風噴出し口は、各面の上で単線或いは多線とすることができる。同様に間断式又は非間断式でもよい。前記風噴出し口或いはフープ式の風噴出し口の各単線或いは多線は、単一の長さ或いは長さの異なる長さであってもよく、また各単線或いは多線の間隔は均一の幅或いは不均一の幅でもよい。
【００３１】
前記風噴出し口或いはフープ式の風噴出し口は、送風機の調整により風方向を任意に選択することができる。また風強度、距離と違う角度或いは違う形式の風効果や静音効果を得ることができる。更に前記風噴出し口或いはフープ式の風噴出し口の全体或いは局部を移動、揺動、回転等を行なうことができる。前記風噴出し口或いはフープ式の風噴出し口の全体或いは局部を伸展、開閉或いは揺動が可能である。更に前記風噴出し口或いはフープ式の風噴出し口の適宜の場所に風向き調整構造を増設し、部分或いは全体角度と風噴出し強度を調節する機能を有している。前記風噴出し口或いはフープ式の風噴出し口の部分或いは全部又は側面は同時に発光体を設けることもできる。
【００３２】
実施例２
実施例１と同様な換気機能及び扇風機機能を有する照明機器であって、図３に示されるように、本考案の照明器具は、方形ケースに各部品は収納されている。図４において、本考案に用いられるファンは、前述の如きタービン式ファン４４に代えて遠心フープ式ファン３３を用い、方形照明ケース３８に該遠心タービンファン３３、風向き調節パネル３４、電源コントロールモジュール３５、発光素子を光源としたランプ基板３６を収納し組み立てる。この方形照明ケース３８の下部をランプ基板カバー３７で覆い、また上部を裏カバー３２で覆い、これらを連結具３１で連結する。具体的には、ランプ基板カバー３７の頂部を適宜の数のランプ基板カバー３７で発光素子を光源としたランプ基板３６の底部と連結し、前記プラスチック頂部は裏カバー３２に装着し、該裏カバー３２の中央に連結具３１を設けて接続する。前記方形照明ケース３８の内部に４個の遠心タービンファン３３を４辺に取り付け、またこの方形照明ケース３８の４辺の隅に４個のフープ式風出し機能を有する風噴出し口（風向調節パネル）３４を取り付ける。ここで、ランプ基板カバー３７は、通常、光拡散のため設けられるが、特に設けても設けなくてもよい。
【００３３】
前記方形照明ケース３８は、四角形からなり、また前記の方形照明ケース３８内は、対応したＬＥＤ又はＥＬ等の発光素子を光源とした照明体を３６を設置しており、更に風の噴出し位置に風向き調整用パネル３４も装着してフープ式ファンの風向き強弱調節機能を持たせ、部分或いは全角度の調整と風強度調節機能を行なうことができる。実施例１及び２に説明した照明器具は、シーリングライト、ブラケットライト、ペンダントライト又はスタンドライト等としても使用される。更に風導出用換気器具と照明器具の組合せ、例えば、厨房のレンジフード等に用いられる。またタービン式或いはフープ式のいずれか又は両者の組合せた形式も用いることができる。また風の出入口も噴気機能或いはフープ式風出し機能或いはこれらの二者の混合形式を用いることもできる。なお、実施例１及び２で示した換気機能及び扇風機機能を有する照明機器は、照明器具を取り外して換気機能及び扇風機機能を有する扇風機として用いることができることは言うまでもない。
【産業上の利用可能性】
【００３４】
本考案は、換気機能及び扇風機機能を有する照明機器であり、前述の如き作用効果を発揮するので、その用途としては、シーリングライト、ブラケットライト、ペンダントライト或いはスタンドライト、又は厨房のレンジフード等としても使用することができるもので実用上極めて有用な換気機能及び扇風機機能を有する照明機器である。
【符号の説明】
【００３５】
３１、４１  連結具
３２  裏カバー
３３  遠心タービンファン
３４  風向調節パネル
３５、４３  電源コントロールモジュール
３６、４５  ＬＥＤ発光素子及びＥＬ発光素子を光源としたランプ基板
３７、４７  ランプ基板カバー
３８  方形照明ケース
４２  裏カバー
４４  タービン式ファン
４６  照明器具ケース（風方向導く層（導風方向層）
４８  ランプ基板カバー取付金具
４９  外側円形ケース
５０  内側円形ケース
５１  通気金網
５２  電源
５３  円形孔
５４、５５  歯車（ギア）
５６  底部
５７  空洞
【図１ａ】
0003194194.tif 000003
【図１ｂ】
0003194194.tif 000004
【図１ｃ】
0003194194.tif 000005
【図１ｄ】
0003194194.tif 000006
【図１ｅ】
0003194194.tif 000007
【図１ｆ】
0003194194.tif 000008
【図２】
0003194194.tif 000009
【図３】
0003194194.tif 000010
【図４】
0003194194.tif 000011
【手続補正書】
【提出日】平成26年9月9日(2014.9.9)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ発光素子及びＥＬ発光素子の少なくとも１種の発光素子を光源とする照明機器、これとタービン式送風機及びフープ式送風機の少なくとも１種の送風機、電源コントロールモジュール及びこれらを収納するケースを備え、該ケースにはタービン式送風機やフープ式送風機の風吹出し口を有し、更に該風吹出し口を通じて換気機能及び扇風機機能の少なくとも１種の機能を兼ね備えていると共に前記送風吹出し口の方向の変動や角度の調整を前記コントロールモジュールで行うことを特徴とする換気機能及び扇風機機能を有する照明器具。
【請求項２】
換気機能及び扇風機機能を有する照明機器がランプ基板カバー、ランプ基板カバー取付金具、裏カバーと内側円形ケースとを基盤連結器具で組立て、前記内側円形ケースと複数の前記ランプ基板カバー取付金具で前記ランプ基板カバーとを結合してなり、更に該ランプ基板カバー内にＬＥＤ発光素子及びＥＬ発光素子の少なくとも１種の発光素子を光源としたランプを含む照明機器を設置、少なくとも１種の送風機を有し、前記裏カバーと前記内側円形ケースを設け、外側円形ケースには送風通路を有し、吹出し口の方向の変動や角度の調整が可能な送風噴出し口を有していることを特徴とする換気機能及び扇風機機能を有する照明器具。
【請求項３】
前記光源又はランプ基板カバーを中心とする照明機器の出入り風口は、外側円形ケースの外側或いは内側又は上方或いは下方又は裏側全体に有することを特徴とする請求項１又は請求項２に記載の換気機能及び扇風機機能を有する照明器具。
【請求項４】
前記照明機器の出入り風口の方向は、垂直、交叉、斜め、平行と交叉、出入り風口の角度は垂直方向プラスマイナス１８０度の範囲、斜め風出口は水平方向プラスマイナス９０度の範囲であることを特徴とする請求項１乃至請求項３のいずれかに記載の換気機能及び扇風機機能を有する照明器具。
【請求項５】
前記ＬＥＤ発光素子及びＥＬ発光素子の少なくとも１種の発光素子を光源としたランプの間或いはランプの周囲に複数個の出入り風口を設け、これらの出入り風口を経由及び／又はフープ式風出し作用と共に気流を発生させることを特徴とする請求項１乃至請求項４のいずれかに記載の換気機能及び扇風機機能を有する照明器具。
【請求項６】
出入り風口及び／又はフープ式風出し口部分の一部又は全部の空間に風方向調整機能を設け、風出し角度と貸し出し強度を調整することを特徴とする請求項１乃至請求項５のいずれかに記載の換気機能及び扇風機機能を有する照明器具。
【請求項７】
空間の一側或いは両側を線形或いはストリームライン形状（ただし、側面の幅は均一又は不均一である。）、０〜５０ｃｍの幅を有することを特徴とする請求項１乃至請求項６のいずれかに記載の換気機能及び扇風機機能を有する照明器具。
【請求項８】
出入り風口及び／又はフープ式風出し口部分の全体は、線形或いは線形でない形状として、直線形状、多辺形形状、カーブ形状又はリング形状であり、前記出入り風口及び／又はフープ式風出し口部分の間隔は、連続又は間断的であり、前記出入り風口及び／又はフープ式風出し口部分の角度は、一致又は不一致であり、前記出入り風口及び／又はフープ式風出し口部分は、単線又は多線でありかつ角度は単一角度又は多角度であり、前記出入り風口及び／又はフープ式風出し口部分は、移動、揺動、回転、反転の形式が可能、前記出入り風口及び／又はフープ式風出し口部分の一部、全面又は側面は、発光体を設けてもよいことを特徴とする請求項１乃至請求項７のいずれかに記載の換気機能及び扇風機機能を有する照明器具。
【請求項９】
前記照明機器は、シーリングライト、ブラケットライト、ペンダント及びスタンドライトとして使用されると共に、前記ライトの発光体の明るさ及び色を調整することができることを特徴とする請求項１乃至請求項８のいずれかに記載の換気機能及び扇風機機能を有する照明器具。
【請求項１０】
前記照明機器は、厨房用レンジフードとして使用することを特徴とする請求項１乃至請求項８のいずれかに記載の換気機能及び扇風機機能を有する照明器具。